(57)【要約】  【課題】部品点数の増加を招来することなく、且つ天板のコーナー部の強度向上及び外観向上を有効に図ることができる脚の取付構造を提供する。  【解決手段】脚２が、天板１の下面を受ける受け部２３と、天板１のコーナー部１ｃを被覆し得る被覆部２２とを具備してなり、天板１のコーナー部１ｃと脚２の被覆部２２とを互いに相寄る方向に引き寄せる引寄手段Ｘによってコーナー部１ｃと被覆部２２とを圧接するようにした。【選択図】図７
2007139134.tif 000002
【特許請求の範囲】
【請求項１】
脚を天板のコーナー部に取り付ける際に適用される脚の取付構造であって、
前記脚が、前記天板の下面を受ける受け部と、前記天板のコーナー部を被覆し得る被覆部とを具備してなり、
前記天板のコーナー部と前記脚の被覆部とを互いに相寄る方向に引き寄せる引寄手段によって前記コーナー部と前記被覆部とを圧接することを特徴とする脚の取付構造。
【請求項２】
前記引寄手段が、ねじ送り機構を利用してなり、当該ねじ送り機構の締付力を前記引寄力に変換するものである請求項１記載の脚の取付構造。
【請求項３】
前記引寄手段が、前記脚の厚み方向に沿って設けた第１雌ねじ部に螺合した螺合体を、前記天板又は前記天板に一体若しくは一体的に設けた部品を足場として締め付けることにより前記被覆部を前記コーナー部に引き寄せるものである請求項１又は２記載の脚の取付構造。
【請求項４】
前記天板に一体若しくは一体的に設けた部品が天板の下面側に突出するように設けた突出体であり、
前記脚に当該突出体が挿入可能な挿入部を設け、
前記引寄手段が、前記突出体を前記挿入部に挿入した状態において生じる両部間のクリアランスを利用して、前記コーナー部と前記被覆部とを相寄る方向に引き寄せるものである請求項請求項３記載の脚の取付構造。
【請求項５】
前記突出体が、前記天板のコーナー部近傍に設けた第２雌ねじ部に螺着可能な緊締シャフトであり、当該緊締シャフトを前記第２雌ねじ部に仮締めした状態で前記引寄手段により前記コーナー部と前記被覆部とを相寄る方向に引き寄せた後に当該緊締シャフトを前記第２雌ねじ部に本締めするようにした請求項４記載の脚の取付構造。
【発明の詳細な説明】
【技術分野】
【０００１】
本発明は、脚を天板のコーナー部に取り付ける際に適用される脚の取付構造に関するものである。
【背景技術】
【０００２】
従来より、天板付家具等において脚を天板のコーナー部に取り付ける態様として、天板の下面にその周縁に沿って角柱状のフレームを設け、天板のコーナー部に配する角柱状の脚にそれぞれ端部を衝き当てたフレーム間に取付具を設け、この取付具を介して脚を天板のコーナー部に取り付けるようにしたものが挙げられる（例えば特許文献１参照）。
【特許文献１】特開２００２−１５３３２６号公報（図２及び図６等参照）
【発明の開示】
【発明が解決しようとする課題】
【０００３】
しかしながら、従来の脚と取付構造は、フレーム及び取付具が必須であり、部品点数が多くなりコストも嵩むばかりではなく、天板自体に十分な強度を持たせてフレームを不要とした天板には適用することができず、汎用性に劣るものである。
【０００４】
一方、天板のコーナー部の外観向上及び強度向上を図るために、コーナー部に専用のエッジ部材を取り付けるようにしたものが考えられている。
【０００５】
しかしながら、専用のエッジ部材を用いるため、やはり部品点数が増加するという不具合が生じ、さらに、天板の側縁部にエッジ部材取付用の凹溝を形成しなければならず、構造の複雑化を招来するものである。また、通常は、天板の外周面を被覆し得る一本のベルト状のエッジ部材を用いるため、このようなエッジ部材を、平面視アール状をなす天板のコーナー部に隙間無く添設させる取付作業は熟練を要し、このような不具合は、エッジ部材が金属製のものである場合に特に顕著に現れる。
【０００６】
本発明は、このような課題に着目してなされたものであって、主たる目的は、部品点数の増加を招来することなく、且つ天板のコーナー部の強度向上及び外観向上を有効に図ることができる脚の取付構造を提供することにある。
【課題を解決するための手段】
【０００７】
すなわち、本発明の脚の取付構造は、脚を天板のコーナー部に取り付ける際に適用される脚の取付構造であって、前記脚が、前記天板の下面を受ける受け部と、前記天板のコーナー部を被覆し得る被覆部とを具備してなり、前記天板のコーナー部と前記脚の被覆部とを互いに相寄る方向に引き寄せる引寄手段によって前記コーナー部と前記被覆部とを圧接することを特徴とする。
【０００８】
このようなものであれば、脚の被覆部によりコーナー部を被覆するようにしているため、別途に専用のエッジ部材を用いる態様と比較して、部品点数の削減及び構造の簡略化を有効に図ることができるとともに、引寄手段を利用してコーナー部と被覆部とを相寄る方向に引き寄せるようにしているため、コーナー部と被覆部との間に隙間が生じることがなく、コーナー部の外観向上に資する。
【０００９】
特に、前記引寄手段が、ねじ送り機構を利用してなり、当該ねじ送り機構の締付力を前記引寄力に変換するものであれば、簡単な構造でありながらコーナー部と被覆部とを圧接させる作業を簡単に行うことができる。
【００１０】
コーナー部と被覆部とを圧接させる作業をより簡単且つ的確に行えるようにするには、前記引寄手段が、前記脚の厚み方向に沿って設けた第１雌ねじ部に螺合した螺合体を、前記天板又は前記天板に一体若しくは一体的に設けた部品を足場として締め付けることにより前記被覆部を前記コーナー部に引き寄せるものであることが好ましい。
【００１１】
また、前記天板に一体若しくは一体的に設けた部品が天板の下面側に突出するように設けた突出体であり、前記脚に当該突出体が挿入可能な挿入部を設け、前記引寄手段が、前記突出体を前記挿入部に挿入した状態において生じる両部間のクリアランスを利用して、前記コーナー部と前記被覆部とを相寄る方向に引き寄せるものであれば、クリアランスを利用してコーナー部と被覆部とを確実に圧接させることができる。
【００１２】
具体的な実施態様としては、前記突出体が、前記天板のコーナー部近傍に設けた第２雌ねじ部に螺着可能な緊締シャフトであり、当該緊締シャフトを前記第２雌ねじ部に仮締めした状態で前記引寄手段により前記コーナー部と前記被覆部とを相寄る方向に引き寄せた後に当該緊締シャフトを前記第２雌ねじ部に本締めするようにしたものが挙げられる。
【発明の効果】
【００１３】
以上説明したように本発明によれば、脚の被覆部によりコーナー部を被覆するようにしているため、別途に専用のエッジ部材を用いる態様と比較して、部品点数の削減及び構造の簡略化を有効に図ることができるとともに、引寄手段を利用してコーナー部と被覆部とを相寄る方向に引き寄せるようにしているため、コーナー部と被覆部との間に隙間が生じることがなく、コーナー部の外観向上に資する。また、脚の受け部がコーナー部の下面部に当接するとともに、被覆部がコーナー部の側面部に当接するため、コーナー部の強度をも有効に向上させることができる。
【発明を実施するための最良の形態】
【００１４】
以下、本発明の一実施形態を、図面を参照して説明する。
【００１５】
本実施形態に係る家具であるテーブルＴは、図１及び図２（図１はテーブルＴの全体斜視図であり、図２はテーブルＴの平面図である）に示すように、天板１と、天板１のコーナー部１ｃの下方に設けてあり該天板１を支持する脚２とを具備する。
【００１６】
天板１は、その周縁を中央部が外部に向かって膨出する曲線状に形成している略矩形板状をなし、所定のアール形状をなすコーナー部１ｃを有するものである。また、この天板１は、曲面をなすとともに凹部１１ｘを有する外側面１１ａを備えている天板本体１１と、外側面１１ａに添設すべきエッジ本体１２１及び前記凹部１１ｘに挿入可能な挿入凸部１２２を有するエッジ１２とを具備する。
【００１７】
天板本体１１は、図２〜図５（図３は図２の要部拡大図であり、図４はコーナー部Ｔ近傍部位の分解斜視図であり、図５は内エッジ１１１及びエッジ１２を示す図である）等に示すように、周縁部に配してなり外側面に凹部１１ｘを備える内エッジ１１１と、この内エッジ部材により区画される空間内に配してなるコア部材１１２と、これら内エッジ１１１及びコア部材１１２の上下両面にそれぞれ添設させた表面材たる上面部材１１３及び下面部材１１４とを具備する。前記内エッジ１１１は、図２及び図５（ａ）に示すように、予め凹部１１ｘを形成した状態のアルミ製棒状材を湾曲させて形成している。前記コア部材１１２は、本実施形態ではアルミ製ハニカム部材を利用して形成している。そして、前記上面部材１１３及び下面部材１１４は、アルミ板を利用して形成している。すなわち、本実施形態ではこの天板本体１１の全体を金属により形成している。より具体的には、この天板本体１１の全体をアルミ製としている。
【００１８】
一方、前記エッジ１２は、図４及び図５（ｂ）等に示すように、本実施形態では全体をアルミ押出成形により形成している。また、このエッジ１２を構成するエッジ本体１２１は、内エッジ１１１の４辺部の外側面の高さ寸法に略一致する高さ寸法を有し、細長い板状をなしている。一方、挿入凸部１２２は、前記凹部１１ｘの高さ寸法よりもやや小さな高さ寸法を有するとともに、その下面には断面視Ｖ字状をなし長手方向に延伸する溝１２ｍを形成している（図５（ｂ）及び（ｃ）参照、なお図５（ｃ）は内エッジ１１１とエッジ１２との嵌合状態を示す図である）。
【００１９】
しかして本実施形態では、天板本体１１と、エッジ１２と、エッジ１２の挿入凸部１２２を天板本体１１の凹部１１ｘの内方に引き込んでエッジ本体１２１を外側面１１ａに圧接させる引き込み機構Ｐとを具備することを特徴とするエッジの取付構造を採用している。
【００２０】
引き込み機構Ｐは、図４に示すように、エッジ１２の挿入凸部１２２に設けたテーパー面たる前記溝１２ｍの底面、すなわち溝底面１２ａと、天板本体１１の下面の周縁部に間欠的に設けた雌ねじ部１１ｙに螺装させ前記テーパー状の前記溝底面１２ａとの間でテーパー作用を発揮させ挿入凸部１２２を凹部１１ｘの内方に引き込むためのテーパー部Ｂ１を先端に有するネジ部材Ｂとを具備する。本実施形態では、この引き込み機構Ｐを天板１の周縁部に間欠的に設けている。本実施形態では、前記ネジ部材Ｂとして、前記雌ねじ部１１ｙに螺着可能な軸部Ｂ２と、この軸部Ｂ２の一端に設けられ、略円錐状をなす前記テーパー部Ｂ１と、前記軸部Ｂ２の他端に設けられ、六角レンチを受け付け可能なレンチ受穴を有する操作受付部３とを具備するホーローセットを適用している。
【００２１】
この引き込み機構Ｐを利用したエッジ１２の天板本体１１への取付の手順を以下に示す。
【００２２】
先ず、エッジ１２の挿入凸部１２２を天板１の凹部１１ｘに挿入する。次いで、ねじ部材Ｂを天板本体１１の雌ねじ部１１ｙに螺着し、このねじ部材Ｂを凹部１１ｘの内部に向けて螺進させる。そして、ねじ部材Ｂのテーパー部Ｂ１をエッジ１２の溝底面１２ａに当接させ、さらにこのねじ部材Ｂを螺進させ、エッジ１２を挿入凸部１２２ごと上方に押圧しつつテーパー部Ｂ１と溝底面１２ａとの間に生じるテーパー作用により前記挿入凸部１２２を凹部１１ｘの内方に引き込む。
【００２３】
以上の手順を経てエッジ１２を天板本体１１に取り付けてなる天板１は、エッジ１２と天板本体１１とが隙間無く相互に圧接したものとなり、さらに、挿入凸部１２２を前凹部１１ｘの内面に圧接させる際に、前記エッジ１２が上方に押圧された結果、エッジ本体１２１の上縁と天板１の上面（上面部材１１３）とが略面一になる。
【００２４】
一方、脚２は、図４及び図６（図６（ａ）、（ｂ）、（ｃ）は、それぞれ脚２の平面図、（ａ）におけるＡ方向矢視図、（ａ）におけるＢ方向矢視図である）等に示すように、例えば金属素材から形成されたものであり、本実施形態ではアルミ押出成形材を適用している。この脚２は、略円筒状をなす脚本体２１と、脚本体２１の上端部から他の部位よりも上方に突出し且つ天板１のコーナー部１ｃを被覆し得る被覆部２２とを備えている。脚本体２１の上端部のうち、被覆部２２を設けていない部位は略フラット状をなし天板１の下面（本実施形態では下面部材１１４）を受ける受け部２３として機能する。
【００２５】
被覆部２２は、脚本体２１の横断面における全周の略４分の１に相当する部位に設けられ、上縁部にテーパ面２２ａを有するものである。この被覆部２２の高さ寸法を、天板１の厚み寸法に略一致させている。
【００２６】
また、脚本体２１の内部空間に、天板１のコーナー部１ｃ近傍に取り付けられる緊締シャフトＳが挿入可能な挿入部２４と、ナットＮを収容し得るナット収容部２５と、図示しないアジャスタを収容し得るアジャスタ収容部２６とを上端部から下端部に向かってこの順で設けている。これら挿入部２４、ナット収容部２５及びアジャスタ収容部２６の各軸心を脚本体２１の軸心に一致させており、さらに、挿入部２４、ナット収容部２５及びアジャスタ収容部２６は、脚本体２１の内面部から脚２の軸心に向かって延びる共通のリブ２７（本図示例では一対のリブ２７）を介して脚本体２１に連結されている。本実施形態では、これら脚本体２１、被覆部２２、挿入部２４、ナット収容部２５、アジャスタ収容部２６及びリブ２７を一体に形成している。
【００２７】
挿入部２４は略円筒状をなし、その内径を、緊締シャフトＳの外径よりも若干大きく設定し、当該挿入部２４に緊締シャフトＳを挿入した状態において挿入部２３の内面部と緊締シャフトＳの外面部との間に若干のクリアランスＸＳが生じるように設定している（後述する図７（ａ）等参照）。
【００２８】
ナット収容部２５及びアジャスタ収容部２６はそれぞれ挿入部２４の開口寸法よりも大きい開口寸法を有し、アジャスタ収容部２６の内面部には、図示しないアジャスタに設けた雄ねじ部が螺合可能な雌ねじ部を設けている。
【００２９】
そして、脚本体２１及び挿入部２４における前記被覆部２２に対向し得る部位に、後述する螺合体Ｄが螺合可能な第１雌ねじ部２８を、脚２の長手方向に略直交するように設けている。本実施形態では、第１ねじ部２８を、脚本体２１及び挿入部２４に亘る領域に形成しており、脚本体２１と挿入部２４との間において非連続となっている。なお、脚本体２１のうち、この第１雌ねじ部２８の形成部位に、他の部位よりも厚み寸法を大きく設定した厚肉部２１１を設け、この厚肉部２１１により第１雌ねじ部２８の形成領域、換言すれば螺合体Ｄの支持領域を有効に稼いでいる。この第１雌ねじ部２８を、脚本体２１及び挿入部２４の上端部近傍部位に設けている。
【００３０】
ナット収容部２５に収容されるナットＮは、図４に示すように、通常のナットＮよりも背丈が高いいわゆる高ナットであり、概略六角筒状をなし、内周面に、緊締シャフトＳが螺合可能な雌ねじ部Ｎａと、所定の操作具による操作を受付可能な操作受付部Ｎｂとを設けている。本実施形態では、操作受付部Ｎｂとして、操作具たる六角レンチが嵌合可能な横断面視略六角形状のレンチ孔を適用している。
【００３１】
緊締シャフトＳは、図４等に示すように、概略円柱状をなし、上端部に後述する第２雌ねじ部１ｘに螺合可能な第１雄ねじ部Ｓ１を設けるとともに、下端部にナットＮの雌ねじ部Ｎａに螺合可能な第２雄ねじ部Ｓ２を設けたものである。
【００３２】
脚２の第１雌ねじ部２８に螺合可能な螺合体Ｄは、外周面に雄ねじ部を設けた軸部Ｄ１と、この軸部Ｄ１の一端に設けられ且つ緊締シャフトＳを押圧し得る略フラット状の押圧部Ｄ２と、前記軸部Ｄ１の他端に設けられ所定の操作具による操作を受付可能な操作受付部とを備えたものであり、本実施形態では、螺合体Ｄとしてホーローセットを適用し、操作受付部として、操作具たる六角レンチが嵌合可能な横断面視略六角形状のレンチ孔を適用している。
【００３３】
次に、このような脚２を天板１のコーナー部１ｃに取り付ける手順及び作用について図７（同図は、図３におけるＡ−Ａ線断面を模式的に示す図である）を参照しながら説明する。
【００３４】
先ず、脚２を天板１のコーナー部１ｃに取り付けるに際し、天板１のコーナー部１ｃ近傍に、天板１の下面側に開口し且つ緊締シャフトＳが螺着可能な第２雌ねじ部１ｘを予め形成しておく。本実施形態では、端部同士を衝き合わせてなる前記内エッジ１１１の端部間を跨ぐ位置にタッピング加工を施すことにより第２雌ねじ部１ｘを形成している。なお、前記内エッジ１１１の端部間を跨ぐ位置にナットを埋設することにより第２雄ねじ部を構成することを妨げない。
【００３５】
そして、天板１を天地逆にし、脚２の被覆部２２がコーナー部１ｃを被覆するように天板１に対する脚２の取付方向を決定した上で、脚２の挿入部２４に挿入した状態で第２雄ねじ部Ｓ２をナットＮの雌ねじ部Ｎａに螺着した緊締シャフトＳを、その第１雄ねじ部Ｓ２を前記第２雌ねじ部１ｘに仮締めする（同図（ａ）参照）。この状態において、天板１のコーナー部１ｃと被覆部２２との間には若干の隙間が形成されている。
【００３６】
次いで、脚２に設けた第１雌ねじ部２８に、螺合体Ｄを螺合する。なお、第１雌ねじ部２８は、天板１下の下肢空間１ｓに向かってのみ開口するものであり、これにより、第１雌ねじ部２８がテーブルＴの通常使用時に外部から視認し難いようにしている。螺合体Ｄは、その操作受付部に対して操作力が付与されると、経時的に、押圧部Ｄ２が緊締シャフトＳと当接し（同図（ｂ）参照）、さらに緊締シャフトＳを足場としてさらに締め付けることにより、押圧部Ｄ２が緊締シャフトＳを押圧し、当該締付力が、緊締シャフトＳと挿入部２４とのクリアランスＸＳの分だけコーナー部１ｃと被覆部２２とを相寄る方向に引き寄せる引寄力として作用し、コーナー部１ｃと被覆部２２とが隙間無く圧接する（同図（ｃ）参照）。すなわち、螺合体Ｄと、第１雌ねじ部２８と、緊締シャフトＳとにより、天板１のコーナー部１ｃと脚２の被覆部２２とを互いに相寄る方向に引き寄せる本発明の「引寄手段Ｘ」を構成している。なお、前記仮締めの状態における第２雌ねじ部１ｘに対する緊締シャフトＳの締付度合いを、緊締シャフトＳが螺合体Ｄの押圧部Ｄ２から受ける押圧力によって天板１に対して相対移動（螺合体Ｄの押圧方向に移動）し得ない程度に設定している。
【００３７】
最後に、緊締シャフトＳを、その第１雄ねじ部Ｓ１を第１雌ねじ部２８に緊締して本締めすることにより、コーナー部１ｃと被覆部２２とを相互に圧接した状態で脚２を天板１のコーナー部１ｃに取り付けることができる（同図（ｄ）参照）。なお、第２雌ねじ部１ｘに対する緊締シャフトＳの螺合操作は、緊締シャフトＳの下端部に螺着したナットＮの操作受付部Ｎｂに対して所定の操作力（ナットＮを回転させる操作力）を付与することにより行う。また、この本締め作業の後にアジャスタを脚２のアジャスタ収容部２６に装着する。
【００３８】
以上の手順を経て天板１のコーナー部１ｃに脚２を取り付けてなるテーブルＴは、天板１の各コーナー部１ｃがそれぞれ脚２の被覆部２２に略隙間無く被覆されるとともに、このテーブルＴを天地逆の姿勢から通常姿勢に姿勢変更すると、各コーナー部１ｃにおける下面（下面部材１１４）が各脚２の受け部２３に支持された状態となる。また、被覆部２２の起立面がエッジ１２のエッジ本体１２１と略面一になるとともに、被覆部２２の上縁部が天板１の上縁部（上面部材１１３）と略面一になり、良好な外観を呈する。
【００３９】
このように、本実施形態に係る脚の取付構造は、前記引寄手段Ｘによりコーナー部１ｃと被覆部２２とを略クリアランス無しに圧接させることが可能であり、コーナー部１ｃ近傍部位の外観向上に資するのみならず、別途にコーナー部専用のエッジ部材を用いる態様と比較して、部品点数の削減及び構造の簡略化を有効に図ることができる。しかも、従来のような天板の周縁部に沿って配したフレーム間に設けた専用の取付具を利用した脚の取付構造と比較して、フレームを不要とした天板１に対しても適用することができ、広い汎用性を付与することができる。また、受け部２３がコーナー部１ｃの下面部（下面部材１１４）に当接するとともに、被覆部２２がコーナー部１ｃの側面部に当接するため、コーナー部１ｃの強度をも有効に向上させることができる。このような効果は、金属素材から形成した剛性の高い脚２を用いることと相俟ってより顕著に現れる。
【００４０】
特に、引寄手段Ｘが、脚２に設けた第１雌ねじ部２８と螺合体Ｄとを用いたねじ送り機構を利用し、このねじ送り機構の締付力をコーナー部１ｃと被覆部２２と相互に相寄る方向に引き寄せる引寄力に変換するものであるため、簡単な構造でありながらコーナー部１ｃと被覆部２２とを相互に引き寄せる作業を簡単且つ的確に行うことができる。
【００４１】
さらに、引寄手段Ｘが、脚２の厚み方向に沿って設けた第１雌ねじ部２８に螺合した螺合体Ｄを、天板１に関連付けて設けた緊締シャフトＳを足場として締め付けることにより被覆部２２をコーナー部１ｃに引き寄せるものであるため、構造の複雑化を招来することなく、簡単な操作で被覆部２２をコーナー部１ｃを緊密に当接させることができる。
【００４２】
加えて、引寄手段Ｘが、シャフトＳを脚２の挿入部２４に挿入した状態において生じる両部（シャフトＳ、挿入部２４）間のクリアランスＸＳを利用して、コーナー部１ｃと被覆部２２とを相寄る方向に引き寄せるものであるため、このクリアランスＸＳの分だけ脚２を天板１（より具体的にはコーナー部１ｃ）に近寄る方向に相対移動させることができ、コーナー部１ｃと被覆部２２とを確実に圧接させることができる。
【００４３】
また、緊締シャフトＳをコーナー部に第２雌ねじ部１ｘに仮締めした状態で引寄手段Ｘによりコーナー部１ｃと被覆部２２とを相寄る方向に引き寄せた後に緊締シャフトＳを第２雌ねじ部１ｘに本締めするようにしているため、緊締シャフトＳを天板１に相対移動不能に取り付けた状態でコーナー部１ｃと被覆部２２とを確実に圧接させることができるとともに、本締めにより緊締シャフトＳを介して天板１に対する脚２の良好な取付強度を確保することができる。
【００４４】
なお、本発明は、以上に詳述した実施形態に限られるものではない。
【００４５】
例えば、引寄手段は、ねじ送り機構を適用したもの以外に、前記引き込み機構Ｐに準じるくさび作用によりコーナー部と被覆部とを互いに相寄る方向に引き寄せるものであっても構わない。また、いわゆるバックル等の留め具又は締め具を用いてコーナー部と被覆部とを互いに相寄る方向に引き寄せるものであっても構わない。
【００４６】
また、引寄手段がねじ送り機構を利用したものである場合、脚の厚み方向に沿って設けた第１雌ねじ部に螺合可能な螺合体として、前記実施形態に示したホーローセットに替えて、軸部より大径の頭部を有する通常のねじ部材を適用してもよい。この場合、頭部に操作受付部を設けるとともに、第１雌ねじ部には、頭部を収納すべき座繰り部を設ければ、ねじ部材の収まりも良く、外観を損なうこともない。加えて、螺合体に対する所定の操作力を付与する操作具は、レンチの他、マイナスドライバやプラスドライバ等の工具を用いてもよく、その場合、これら操作具に対応した操作受付部を有する螺合体を適用すればよい。
【００４７】
また、螺合体が足場とする対象は、天板そのものであってもよく、或いは天板に一体又は一体的に設けたフレーム等の天板構成部材や、天板に一体又は一体的に設けた突部等の専用の足場であっても構わない。また、前記実施形態に示す緊締シャフトＳに替えて、天板に一体又は一体的にに設けられ脚の内部空間に挿入可能な単純な棒状のものを用いてもよい。
【００４８】
さらに、天板や脚は必ずしも全体を金属により形成する必要はなく、例えば天板のコーナー部及び脚の被覆部の全部又は一部（特に相互に圧接する部位）を合成樹脂素材から形成してもよい。このようなものであれば、樹脂の弾性を利用してより良好な圧接状態を確保することが可能である。
【００４９】
また、天板のコーナー部は丸みを帯びない角状のものであっても構わない。この場合に、脚の被覆部の形状もコーナー部に対応させて適宜変更すればよい。
【００５０】
脚の第１雌ねじ部を、脚に埋設したナットを用いて構成してもよい。
【００５１】
また、前記実施形態では第１雌ねじ部を脚の脚本体及び挿入部に亘る領域に設けているが、脚が脚本体の内部空間そのものを挿入部として機能させている場合、すなわち脚がシンプルな円筒状のものである場合は、この脚本体にのみ第１雌ねじ部を形成すればよい。つまり、第１雌ねじ部は、螺合体の押圧部が押圧する対象に連通し得るものであればよい。
【００５２】
また、第１雌ねじ部及び第２雌ねじ部は、雌ねじ孔の内周面に雌ねじを刻設したものに限らず、溝や切欠に雌ねじを刻設したものであっても構わない。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の一実施形態に係るテーブルを示す全体斜視図。
【図２】同実施形態に係るテーブルの平面図。
【図３】同実施形態に係るテーブルのコーナー部を拡大して示す平面図。
【図４】同実施形態に係るテーブルの要部分解斜視図。
【図５】同実施形態における内エッジ及びエッジを示す図。
【図６】同実施形態に係る脚を示す図。
【図７】同実施形態に係る脚の取付構造の作用説明図。
【符号の説明】
【００５５】
１…天板
１１４…下面（下面部材）
１ｃ…コーナー部
１ｘ…第２雌ねじ部
２…脚
２２…被覆部
２３…受け部
２４…挿入部
２８…第１雌ねじ部
Ｄ…螺合体
Ｓ…緊締シャフト
Ｘ…引寄手段
ＸＳ…クリアランス
【図１】
2007139134.tif 000003
【図２】
2007139134.tif 000004
【図３】
2007139134.tif 000005
【図４】
2007139134.tif 000006
【図５】
2007139134.tif 000007
【図６】
2007139134.tif 000008
【図７】
2007139134.tif 000009